【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
第１の長方形で実質的に平坦なバックパネル（１２）と、
前記長方形バックパネル（１２）の裏側に垂直に取り付けられ、実質的に平らな外面と、等間隔にピン（１８）とタイル（２０）が交互に構成された尾根部がある内面と、を有し、各端部が端部ピン（２６）により閉じられた第１の左右サイドパネル（１４ａ、１４ｂ）であって、前記長方形バックパネル（１２）に平行で向かい合う前記第１の左右サイドパネル（１４ａ、１４ｂ）の側面に沿う複数のノッチ（２２）を有する前記第１の左右サイドパネル（１４ａ、１４ｂ）と、
前記第１の長方形バックパネル（１２）の裏側に垂直で、前記第１の左右サイドパネル（１４ａ、１４ｂ）に垂直に取り付けられ、実質的に平坦な外内面を有し、前記内面にダブテール継手を形成する左右サイドパネル（１４ａ、１４ｂ）の各端部から第１のテール（２３）内に摺動可能に挿入できる各々の端に延長部材（２５）を有し、各サイドパネル（１４ａ、１４ｂ）の前記端部ピン（２６）が上下パネル（１６）と同一平面上にコーナーを形成する前記上下パネル（１６）と、を備え、
完全に組み立てられた際に長方形の開口ボックスを形成する第１のモジュール（１０）と、
第２の長方形で実質的に平坦なバックパネル（１２）と、
前記長方形バックパネル（１２）の裏側に垂直に取り付けられ、実質的に平らな外面と、等間隔にピン（１８）とタイル（２０）が交互に構成された尾根部がある内面と、を有し、各端部が端部ピン（２６）により閉じられた第２の左右サイドパネル（１４ａ、１４ｂ）の各端部と、を有する第２のモジュール（１０）と、を有し、
前記第１の左右サイドパネル（１４ａ、１４ｂ）のうち少なくとも１つは、各サイドパネル（１４ａ、１４ｂ）の少なくとも１つのテール（２０）に摺動可能に挿入できる少なくとも１つの締結部（３５、３７、４０）によって少なくとも１つの前記第２の左右サイドパネル（１４ａ、１４ｂ）に取り付けられている、モジュラー保管アセンブリ（２４０、３００）。
【請求項２】
前記第１の右のサイドパネル（１４ｂ）と前記第２の左のサイドパネル（１４ａ）は水平に固定するように取り付けられ、前記摺動可能に挿入できる少なくとも１つの締結部が少なくとも１つの前記テール（２０）に挿入されたＵ字型ダブテールコネクター（３５）である請求項１に記載のモジュラー保管アセンブリ（２４０、３００）。
【請求項３】
前記第１の左右サイドパネル（１４ａ、１４ｂ）のうち少なくとも１つと前記第２の左右サイドパネル（１４ａ、１４ｂ）のうち少なくとも１つが、水平に旋回可能に取り付けられ、摺動可能に挿入できる少なくとも１つの締結部が少なくとも１つの前記テール（２０）に挿入されたヒンジダブテールコネクター（３７）である、請求項１に記載のモジュラー保管アセンブリ（２４０、３００）。
【請求項４】
第３の長方形で実質的に平坦なバックパネル（１２）と、
前記長方形バックパネル（１２）の裏側に垂直に取り付けられ、実質的に平坦な外面と、等間隔にピン（１８）とタイル（２０）が交互に構成された尾根部がある内面と、を有し、端部ピン（２６）により各端部が閉じられた第３の左右サイドパネル（１４ａ、１４ｂ）と、を有する第３のモジュール（１０）をさらに有し、
前記第３のモジュール（１０）が、前記第１及び第２のバックパネル（１２）のうち１つが前記第３のバックパネル（１２）に固定して接続されるように、前記第１又は第２のモジュール（１０）に接合されている、請求項２に記載のモジュラー保管アセンブリ（２４０、３００）。
【請求項５】
前記第１及び第２のサイドパネル（１４ａ、１４ｂ）が、垂直に固定するように取り付けられ、摺動可能に挿入できる少なくとも１つの締結部が、前記第１及び第２のサイドパネル（１４ａ、１４ｂ）の各端部の前記第１のテール（２３）に挿入されているデュアルピン垂直コネクター（４０）である、請求項１に記載のモジュラー保管アセンブリ（２４０、３００）。
【請求項６】
第１の長方形で実質的に平坦なバックパネル（１２）と、
前記長方形バックパネル（１２）の裏側に垂直に取り付けられ、実質的に平らな外面と、等間隔にピン（１８）とタイル（２０）が交互に構成された尾根部がある内面と、を有し、各端部が端部ピン（２６）により閉じられた第１の左右サイドパネル（１４ａ、１４ｂ）と、を有する第１のモジュール（１０）と、
第２の長方形で実質的に平坦なバックパネル（１２）と、
前記第２の長方形バックパネル（１２）の裏側に垂直に取り付けられ、実質的に平らな外面と、等間隔にピン（１８）とタイル（２０）が交互に構成された尾根部がある内面と、を有し、各端部が端部ピン（２６）により閉じられた第２の左右サイドパネル（１４ａ、１４ｂ）の各端部と、を有する第２のモジュール（１０）と、
前記長方形バックパネル（１２）の裏側に垂直で、前記第１及び第２の左右サイドパネル（１４ａ、１４ｂ）に垂直に取り付けられ、実質的に平坦な外面を有し、ダブテール継手を形成する左右サイドパネル（１４ａ、１４ｂ）の各端部から第１のテール（２３）内に摺動可能に挿入できる各々の端に延長部材（２５）を有し、各サイドパネル（１４ａ、１４ｂ）の前記端部ピン（２６）が上下パネル（１０６ａ、１０６ｂ、１０６ｃ）と同一平面上にコーナーを形成する前記上下パネル（１０６ａ、１０６ｂ、１０６ｃ）と、を有し、
前記上下パネル（１０６ｂ、１０６ｃ）は、前記第１及び第２のモジュール（１０）を隣り合って固定するために２つの追加の延長部材（２５）を備える、モジュラー保管アセンブリ（２４０、３００）。
【請求項７】
第３の長方形で実質的に平坦なバックパネル（１２）と、
前記長方形バックパネル（１２）の裏側に垂直に取り付けられ、実質的に平らな外面と、等間隔にピン（１８）とタイル（２０）が交互に構成された尾根部がある内面と、を有し、各端部が端部ピン（２６）により閉じられた第３の左右サイドパネルと、を有する第３のモジュール（１０）をさらに有し、
前記上下パネル（１０６ｃ）は、前記第２及び第３のモジュール（１０）を隣り合って固定するために２つの追加の延長部材（２５）を有する、請求項６に記載のモジュラー保管アセンブリ（２４０、３００）。
【請求項８】
第３の長方形で実質的に平坦なバックパネル（１２）と、
前記長方形バックパネル（１２）の裏側に垂直に取り付けられ、実質的に平らな外面と、等間隔にピンとタイルが交互に構成された尾根部がある内面と、を有し、各端部が端部ピンにより閉じられた第３の左右サイドパネル（１４ａ、１４ｂ）と、を有する第３のモジュール（１０）をさらに有し、
前記第３のモジュール（１０）が前記第１及び第２のモジュールのうちの少なくとも１つに旋回可能に取り付けられている、請求項６に記載のモジュラー保管アセンブリ（２４０、３００）。
【請求項９】
長方形で実質的に平坦なバックパネル（１２）と、
前記長方形バックパネル（１２）の裏側に垂直に取り付けられ、実質的に平らな外面と、等間隔にピンとタイルが交互に構成された尾根部がある内面と、を有し、端部ピンにより閉じられた左右サイドパネル（１４ａ、１４ｂ）と、
前記長方形バックパネル（１２）の裏側に垂直で、前記左右サイドパネル（１４ａ、１４ｂ）に垂直に取り外し可能に取り付けられ、実質的に平坦な外内面を有し、前記内面にダブテール継手を形成する左右サイドパネル（１４ａ、１４ｂ）の各端部から第１のテール（２３）内に摺動可能に挿入できる各々の端に延長部材（２５）を有し、各サイドパネル（１４ａ、１４ｂ）の前記端部ピン（２６）が上下パネル（１６）と同一平面上にコーナーを形成する上下パネル（１６）と、を有する少なくとも３つのモジュール（１０）と、
前記左右サイドパネル（１４ａ、１４ｂ）の前記テール（２０）に摺動可能に挿入できる少なくとも１つのピン（２０６、２１０、２１３、２１４、２２０、２３６）を各々に備える２つの端部を持つ少なくとも１つの挿入部材（２０１、２０９、２１２、２１９、２３０、２５２）と、を有し、
前記少なくとも３つのモジュール（１０）は、前記左右サイドパネル（１４ａ、１４ｂ）の少なくとも１つのテール（２０）に少なくとも１つの摺動可能に挿入できるコネクター（３５、３７、４０）に接続されており、
前記少なくとも３つのモジュール（１０）のうち少なくとも２つは、固定して接続されており、前記少なくとも２つのモジュール（１０）の前記バックパネル（１２）が実質的に互いに接続されており、
前記少なくとも３つのモジュール（１０）のうち少なくとも２つは、枢動可能にかつ、摺動可能に挿入できるコネクターであるヒンジコネクター（３７）に接続されており、
前記少なくとも３つのモジュール（１０）のうち少なくとも２つは、固定するように摺動可能に挿入できるコネクターであるＵ字型コネクター（３５）とデュアルピン垂直コネクター（４０）に接続されている、モジュラー保管アセンブリ（２４０、３００）。